(57)【要約】【課題】構成が簡単で設置が容易であり、天井面や床面の変形を防止して設置状態が安定しており、容易に取り外しや設置が行なえる可動式に適した間仕切装置を提供する。【解決手段】空間を仕切る間仕切装置５は、天井材２、梁等の上部部材に固定されるガイドレール１０と、ガイドレールに上部を支持されると共に下部を床材３等の下部部材に固定されるパネル材２０，２０…とを備え、ガイドレール１０は天井材２に接合固定される水平面部１１と、水平面部の長手方向の両側部から鉛直方向に延出し、相互に離間する２つの垂直面部１２，１２とから断面略コ字状に形成され、パネル材２０は、その上部に鉛直方向に進出可能の延長パネル３０を備えており、延長パネルを、ガイドレール１０の２つの垂直面部間に挿入し、延長パネル３０の上面をガイドレール１０の水平面部１１に弾接させて設置される。【選択図】図１
2010013826.tif 000002
【特許請求の範囲】
【請求項１】
天井材、梁等の上部部材に固定されるガイド部材と、該ガイド部材に上部を支持されると共に下部を床材等の下部部材に固定されるパネル材とを備え、空間を仕切る間仕切装置であって、
前記ガイド部材は前記上部部材に接合固定される水平面部と、該水平面部の長手方向の両側部から鉛直方向に延出し、相互に離間する２つの垂直面部とから断面略コ字状に形成され、
前記パネル材は、その上部に鉛直方向に進出可能の延長パネルを備えており、該延長パネルを、前記ガイド部材の２つの垂直面部間に挿入し、前記延長パネルの上面を前記ガイド部材の水平面部に弾接させて設置されることを特徴とする間仕切装置。
【請求項２】
前記パネル材は、２枚の垂直面材と、該垂直面材を間隔を開けて連結する固定部材とから構成され、前記２枚の垂直面材間に形成される空間に前記延長パネルが配置されると共に、該延長パネルを上方に移動させる移動機構と、前記ガイド部材に弾接させる弾性部材が配置されていることを特徴とする請求項１に記載の間仕切装置。
【請求項３】
前記移動機構はねじ送り機構であることを特徴とする請求項１または２に記載の間仕切装置。
【請求項４】
前記移動機構はジャッキ機構であることを特徴とする請求項１または２に記載の間仕切装置。
【請求項５】
前記パネル材は、水平方向に分割された複数のパネル材から構成され、該複数のパネル材は各パネル材の垂直端面に沿って固定されたジョイント材で相互に連結されることを特徴とする請求項１から４のいずれかに記載の間仕切装置。
【発明の詳細な説明】
【技術分野】
【０００１】
本発明は、建物等の空間を仕切る間仕切装置に係り、特に、設置、取り外しが容易で、設置後に建物等を構成する部材との間に隙間が発生せず、設置状態が安定し天井面等の変形を防止できる間仕切装置に関する。
【背景技術】
【０００２】
従来、建物の空間を仕切る間仕切り装置は、天井や梁等の上部部材と、床板や敷居等の下部部材との間にパネル材を配置し、パネル材の上端を天井等に押し付けて固定し、天井とパネル材の上端との間の隙間を塞ぐ回り縁を固定し、床板とパネル材の下端との間の隙間を塞ぐ巾木を固定している。
【０００３】
また、この種の間仕切装置として、特許文献１に記載の間仕切り壁取付け構造がある。この間仕切り壁取付け構造は、天井面の間仕切り壁取付け位置に沿って、凹溝付き廻り縁が凹溝を下方に向けて取り付けられ、この凹溝に間仕切り壁の上端部を挿入して天井面と床面間に間仕切り壁が着脱自在に取り付けられ、前記凹溝に挿入された間仕切り壁が、上端面と凹溝底面との間に隙間を形成する高さ寸法になされ、この間仕切り壁は、押圧体と、この押圧体を間仕切り壁の上端部または下端部から突出させて間仕切り壁を凹溝底面と床面との間に押圧状態となす押圧手段とからなる押圧ユニットを備え、間仕切り壁の取付け後には、前記押圧状態を維持可能になされ、間仕切り壁の取り外し時には、前記押圧状態を解除可能になされている。
【０００４】
【特許文献１】特開２００１−１１５５８９号公報
【発明の開示】
【発明が解決しようとする課題】
【０００５】
ところで、前記構造の間仕切り装置は、空間を仕切るパネルが伸縮して天井と床間に設置されるため、回り縁や巾木棟の隙間隠しのための別部材が必要であり、構成が複雑となり、施工に時間がかかると共に、設置が煩雑となっていた。また、天井構造がよほど強固な構成でないと押圧力を掛けたときに天井や床が変形して設置状態が安定しないという問題点があった。そして、一度設置した間仕切り装置を取り外す場合、手間がかかり、他の場所への移動も煩雑であるという問題点がある。
【０００６】
さらに、前記の間仕切り壁取付け構造は、押圧ユニットの押圧体が間仕切り壁の上端部または下端部から突出し、間仕切り壁を凹溝底面と床面との間に押圧状態としているため、押圧状態がスポット的となり、押圧力が加わった部分が変形しやすく、より広い範囲での押圧状態を確保し、設置状態を安定させたいという要求がある。
【０００７】
本発明は、このような問題に鑑みてなされたものであって、その目的とするところは、構成が簡単で設置が容易であり、天井面や床面の変形を防止して設置状態が安定しており、ライフスタイルの変更があっても、容易に取り外しや設置が行なえる可動式に適した間仕切装置を提供することにある。また、隙間隠し部材が不要で、短時間で設置できる間仕切り装置を提供することにある。
【課題を解決するための手段】
【０００８】
前記目的を達成すべく、本発明に係る間仕切装置は、天井材、梁等の上部部材に固定されるガイド部材と、該ガイド部材に上部を支持されると共に下部を床材等の下部部材に固定されるパネル材とを備え、空間を仕切る間仕切装置であって、前記ガイド部材は前記上部部材に接合固定される水平面部と、該水平面部の長手方向の両側部から鉛直方向に延出し、相互に離間する２つの垂直面部とから断面略コ字状に形成され、前記パネル材は、その上部に鉛直方向に進出可能の延長パネルを備えており、該延長パネルを、前記ガイド部材の２つの垂直面部間に挿入し、前記延長パネルの上面を前記ガイド部材の水平面部に弾接させて設置されることを特徴とする。
【０００９】
前記のごとく構成された本発明の間仕切装置は、空間を区切りたい位置の天井材、梁等の上部部材にガイド部材を固定し、固定されたガイド部材の２つの垂直面部間の隙間にパネル材の上端を挿入し、パネル材の下端を床材等の下部部材に固定する。パネル材の下端面の固定は、例えば両面粘着テープ等を用いて固定することができる。この後、パネル材の上部に設けた進出可能の延長パネルを上方に移動させ、ガイド部材の水平面部に弾接させる。このように、パネル材は上端をガイド部材に位置決めされ、延長パネルが押し上げられた状態で設置されるため、設置作業が容易で、設置状態が安定する。また、延長パネルを下方に移動させるのみでパネル材を取り外すことができ、容易に撤去することもできる。さらに、延長パネルを弾接させる押圧力を調整することで、上部部材や下部部材を変形させることなく、設置状態を安定させることができ、延長パネルを進出させてパネル材を設置するため、隙間が発生せず、隙間隠し部材が不要となる。
【００１０】
また、本発明に係る間仕切装置の好ましい具体的な態様としては、前記パネル材は、２枚の垂直面材と、該垂直面材を間隔を開けて連結する固定部材とから構成され、前記２枚の垂直面材間に形成される空間に前記延長パネルが配置されると共に、該延長パネルを上方に移動させる移動機構と、前記ガイド部材に弾接させる弾性部材が配置されていることを特徴としている。このように構成された間仕切装置では、パネル材は２枚の垂直面材間に延長パネルが配置され、この延長パネルを上方に移動させてパネル材を固定するため、設置後に隙間が発生せず、見栄えが向上すると共に、別部材で隙間を塞ぐ必要がなく、構成が簡単となり、設置が容易となる。
【００１１】
さらに、本発明に係る間仕切装置の好ましい具体的な他の態様としては、前記移動機構はねじ送り機構であること、あるいは、前記移動機構はジャッキ機構であることを特徴としている。この構成によれば、ねじ送り機構でパネル材の上部に設けられた延長パネルを上方に移動させ、あるいは、ジャッキ機構でパネル材の上部に設けられた延長パネルを上方に移動させることができ、パネル材の位置決め、固定が容易に行なえる。
【００１２】
また、前記パネル材は、水平方向に分割された複数のパネル材から構成され、該複数のパネル材は各パネル材の垂直端面に沿って固定されたジョイント材で相互に連結されることが好ましい。この構成によれば、広い面積の空間を間仕切りする場合でも、複数のパネル材を水平方向に連結して容易に間仕切りことができる。また、複数のパネル材は相互に連結されるため、単独で外れることが防止され、設置状態が安定する。
【発明の効果】
【００１３】
本発明の間仕切装置は、パネル材の上部をガイド部材で挟んで天井材等の上部部材に弾接させるため、固定状態が安定し、躯体に限定されることなく設置することができる。パネル材の上部はガイド部材に支持されるため、強い衝撃を受けても外れることがない。パネル上部の延長パネル部分に隙間が発生しないため、設置後に隙間隠し部材が必要ない。また、設置が容易で、取り外しも容易であり、移動設置も容易に行なえる。
【発明を実施するための最良の形態】
【００１４】
以下、本発明に係る間仕切装置の一実施形態を図面に基づき詳細に説明する。図１は本実施形態に係る間仕切装置の一部を破断した正面図、図２は図１の一部を破断した要部正面図、図３は図２のＡ−Ａ線断面図、図４は図１のＢ−Ｂ線断面図、図５は図１のＣ−Ｃ線断面図、図６は図２の固定前の状態を示す要部正面図、図７は図６のＤ−Ｄ線断面図である。
【００１５】
図１〜７において、本実施形態の間仕切装置は、例えば、建物１等の構造物内の空間を仕切り、複数のスペースに分割形成するためのものであり、天井材２や梁等の上部部材と、床材３等の下部部材と、壁面４，４との間に設置される。間仕切装置５は、壁面４，４の間に、ガイド部材として、ガイドレール１０を介して複数のパネル材２０，２０…を鉛直状態に設置し、下端を固定して空間を分割する機能を有するものである。なお、パネル材２０は一方の壁面４のみに接するように設置してもよく、壁面に接することなくパネル材のみで設置してもよい。
【００１６】
ガイドレール１０は、例えばアルミニウムの押出し材で形成され、天井面等に接する水平面部１１と、この水平面部の長手方向に沿う両側部から鉛直方向に延出し、相互に離間する２つの垂直面部１２，１２とから、下方に開口する断面略コ字状に形成されている。この実施形態では、ガイドレール１０の垂直面部１２，１２の下端は内側に折り曲げられた後、上方にさらに折り曲げられ、折り返し部に形成されている。また、水平面部１１の内面には、垂直面部に近接して２つの規制突条１３，１３が形成されている。
【００１７】
パネル材２０は２枚の垂直面材として合板２１，２１と、これらの垂直面材を間隔を開けて連結する横桟等の固定部材２２，２２…、縦桟等の固定部材２３，２３…とから構成され、横寸法が約９０ｃｍ程度で、縦寸法が１．８ｍ〜２，４ｍ程度に形成されている。このように形成された１枚のパネル材２０を、本実施形態の間仕切り装置５では３枚使用し、水平方向に並べて空間を仕切るものである。なお、パネル材２０の横幅は、仕切りたい部分の横幅に合わせて適宜設定できる。また、図１では、１枚のパネル材のみ、その構造を示しているが、他のパネル材も同様に構成される。
【００１８】
パネル材２０は最上部の横桟２２が合板２１，２１の上端から、例えば５０〜７０ｍｍ程度下げて固定されており、最上部の横桟の上方に、上方に開口する空間２４が形成されている。そして、合板２１，２１には、後述する移動機構のアジャスターを操作するための長円状の調整孔２５，２５…が貫通して形成してある。これらの調整孔には、開口を閉じるキャップ２６，２６…が嵌合される。パネル材２０は右側のパネル材のように、ドア等の開口２０ａが形成されたものでもよい。
【００１９】
本実施形態のパネル材２０は、その上部の空間２４に鉛直方向に進出可能の延長パネル３０を備えており、移動機構４０で上方に進出可能に構成されている。そして、パネル部材２０は、上部の延長パネル３０がガイドレール１０で支持され、下端は床材３上に両面耐震ジェル、粘着テープ等の粘着材２７で固定される構成となっている。なお、パネル材２０の下端を固定する構成は、前記の粘着材による固定に限られるものでなく、床材に形成した位置決め穴に、ピンや軸を差込んで固定する構成や、床材に浅い溝を形成し、この溝にパネル材の下端を位置決めする構成等、適宜の変更が可能である。前記の耐震ジェルとは、地震時に家具等の転倒を防止する機能を有し、軟質樹脂素材で形成され、厚さが数ｍｍの粘着性を有するマット材が好ましい。
【００２０】
パネル材２０の左右の端部を構成する縦桟等の固定部材２３，２３には上下方向に沿って凹溝が形成されている。この凹溝には、ジョイント材２８が嵌合され、複数のパネル材２０，２０を連結することができる。ジョイント材２８は中心の平板部と、その両側に突出する突条を備えており、この突条が前記凹溝に嵌合する構成となっている。また、壁面等に接合するパネル材２０用の端ジョイント材２９も用いられ、この端ジョイント材も一面側に凹溝に嵌合する突条を備えている。ジョイント材２８、及び端ジョイント材２９は木材、集成材等から構成され、合成樹脂で形成してもよい。
【００２１】
パネル材２０の上部空間２４に配置される延長パネル３０は、パネル材２０の横幅と同等の幅を有しており、例えば金属板材を折り曲げて水平の上面部３１と、この上面部から下方に連続する幅の広い広幅面３２，３２と、さらに下方に連続する幅の狭い狭幅面３３，３３とから形成され、狭幅面３３，３３はパネル材２０の空間２４に挿入される幅に設定され、広幅面３２，３２はパネル材２０の上端に載置される幅に設定されると共に、ガイドレール１０の下方開口に挿入可能な幅に設定されている。また、広幅面３２，３２の厚さは、ガイドレール１０の内面の規制突条１３，１３間に挿入可能な厚さに設定されている。延長パネル３０の最上面には、圧縮されたときに潰れるクッション材３４が固定されている。
【００２２】
そして、パネル材２０の上部に形成された空間２４には、延長パネル３０を上方に移動させる移動機構として、ねじ送り機構４０，４０が２つ配置されている。ここで、一方のねじ送り機構について説明する。ねじ送り機構４０は、横桟２２の両端部に固定されるＬ状の軸受板４１と、この軸受板に下端が回転自在に支持される調整ねじ軸４２と、これらの調整ねじ軸に螺合され、調整ねじ軸の回転で上下に移動する移動金具４３と、２つの移動金具を連結する移動連結片４４と、調整ねじ軸４２の外周に位置し延長パネル３０を上方へ付勢してガイドレールの内面に押し付けるコイルばね４５とを備えて構成される。
【００２３】
調整ねじ軸４２の下方には、このねじ軸を回転させる調整リング４６が固定され、これらの調整リングはパネル材２０の合板２１，２１に形成された調整孔２５，２５…内に位置している。この構成により、調整孔２５，２５内に指を差込み、アジャスターとして機能する調整リング４６を回転させることで調整ねじ軸４２を回転させ、移動金具４３と共に、移動連結片４４を上方へ移動させて延長パネル３０を上方に移動させることができる構成となっている。
【００２４】
移動金具４３は中央の水平板部４３ａから下方に二股の下方延出部４３ｂ、４３ｂが延出し、これらの下方延出部に形成された連結孔に嵌合する厚板の連結板４３ｃに調整ねじ軸４２が螺合している。また、水平板部４３ａから上方に二股に延出する上方延出部４３ｄ、４３ｄは上部が水平に屈曲されて移動連結片４４に結合されている。２つの移動機構に装着されたコイルばね４５，４５は移動連結片４４の貫通孔を通して装着されている。移動連結片４４は金属板材を折り曲げて形成したものであり、水平部と上方延出部とを備えて断面が上方に開口する略コ字状に形成されている。
【００２５】
このように、延長パネル３０を上方へ移動させるねじ送り機構４０，４０は、パネル材２０の空間２４から上方に移動する延長パネル３０の内側に移動連結片４４を備える二重構成であり、移動連結片４４の上方延出部の上端面が延長パネル３０を押圧する構成となっている。このため、移動連結片４４を上方へ移動させ、延長パネル３０を押し上げた状態ではコイルばね４５，４５の押圧力が延長パネル３０に加わり、延長パネル３０がガイドレール１０の水平面部１１の内面に弾接する構成となっている。
【００２６】
前記の如く構成された本実施形態の間仕切装置５の設置動作について、図８〜１１を参照して以下に説明する。建物１内の天井材２、床材３、壁面４，４間を、間仕切り装置５で仕切るときは、先ず、壁面４，４間の天井材２にガイドレール１０を水平状態に固定する。ガイドレール１０の固定は、例えば、ガイドレールの水平面部１１に貫通して形成した孔を通して、天井材の桟２ａに、ビスを所定間隔でねじ込んで固定する。間仕切り装置５で仕切る空間が水平方向に長い場合は、ガイドレールを複数本連結して用いることもできる。このように、ガイドレールを複数本連結するときは、例えば、ガイドレールの内部に嵌合する連結金具を用いると好ましい。
【００２７】
仕切りたい空間の横幅に合わせて、複数枚のパネル材２０，２０…を用意する。本実施形態では、３枚のパネル材２０を用意し、中央のパネル材と右側のパネル材は幅広で、左側のパネル材は狭い幅のものを用いており、３枚で空間を閉じる横幅に設定されている。図８に示すように、１枚のパネル材、例えば、右側のパネル材２０の延長パネル３０を下げた状態で斜めに傾斜させ、ガイドレール１０の略コ字状の空間にパネル材の上部を差込み、傾きを直して垂直状態に床材３の面上に載置する。
【００２８】
このあと、図９に示すように、パネル材２の下面に貼着された耐震ジェル、両面粘着テープ等の粘着材２７の離型紙２７ａを剥がし、パネル材２０の下端を床材３に密着して位置決めする。ついで、延長パネル３０を上昇させて、１枚目のパネル材２０を固定する。すなわち、ねじ送り機構４０，４０でパネル材２０の上部の延長パネル３０を上方へ進出させ、延長パネル３０の上面をガイドレール１０の内面に弾接させて固定する。すなわち、パネル材２０の調整孔２５，２５に指を入れ、調整リング４６，４６を回転させると調整ねじ軸４２，４２が回転し、このねじ軸に螺合する移動金具４３，４３が上昇し、これらの移動金具に連結された移動連結片４４が上昇し、移動金具４３，４３上に位置するコイルばね４５，４５に押されて延長パネル３０がパネル材２０の上方に進出する。
【００２９】
調整リング４６，４６をさらに回転させ、延長パネル３０を上方へ進出させ、延長パネルがガイドレール１０の水平面部１１の内面に接触する。そして、調整リング４６，４６をさらに回転させると、移動連結片４４はさらに上昇するため、連結移動片４４がガイドレール１０の内面に当接するまでコイルばね４５，４５は圧縮される。このように、延長パネル３０は移動連結片４４で押し上げられ、ガイドレール１０の内面に突き当たると共に、コイルばね４５，４５で押圧力が加わるため、パネル材２０の固定状態が安定する。調整リング４６，４６により延長パネル３０を上昇させ、パネル材２０の固定が完了したあと、調整孔２５，２５…にキャップ２６，２６…を嵌合して開口を塞ぐ。２つの調整リングを交互に回転させて延長パネル３０を水平状態に上昇させると、押圧力が平均的に加わり好ましい。
【００３０】
１枚目のパネル材２０を位置決め固定したあと、図１０に示されるように、パネル材の右端面と壁面４との間に端ジョイント材２９を差込んで隙間が生じないように密着させる。また、パネル材２０の左端面の凹溝にジョイント材２８を嵌め込む。このあと、同様にして、２枚目のパネル材２０を天井材２に固定したガイドレール１０と床材３との間に固定し、２枚目のパネル材２０の左端面にジョイント材２８を嵌め込む。さらに、同様にして３枚目のパネル材２０を天井材２に固定したガイドレール１０と床材３との間に固定し、３枚目のパネル材と左の壁面４との間に端ジョイント材２９を差込んで壁面との隙間を埋める。パネル材２０にドア等の開口２０ａがある場合は、図１１に示されるように、開口に沿ってビス６をねじ込んで壁面４及び連続するパネル材２０に固定する。
【００３１】
このようにして、建物１の空間をガイドレール１０と３枚のパネル材２０，２０…とを備える間仕切り装置５により仕切ることができる。ガイドレール１０は天井材２に固定され、３枚のパネル材２０，２０…は上端部がガイドレール１０に支持され、下端部は床材３に密着して固定される。パネル材２０の上端はガイドレール１０の水平面部１１と垂直面部１２，１２との間の略コ字状の開口に嵌合しているため、外れることはない。そして、３枚のパネル材は各々の延長パネル３０，３０…に上方への押圧力が加わりガイドレール１０に弾接しているため、設置後に天井材２や床材３が変形することはなく、固定状態が安定する。このため、躯体に限定されることなく、確実に、簡単に設置でき、衝撃にも強い間仕切り装置５を構成することができる。また、間仕切り装置５を設置するとき、延長パネル３０を上方に進出させて隙間が生じないため、幅木や回り縁等の隙間隠しの別部材が不要となり、施工が短時間で容易に行なえる。
【００３２】
一度設置された間仕切り装置５を取り外すときは、先ず一方の端ジョイント材２９を外し、それに隣接するパネル材のキャップ２６，２６…を外す。そして、調整孔２５，２５…内の調整リング４６，４６を逆回転させると、ねじ送り機構４０の調整ねじ軸４２，４２が回転し、移動金具４３，４３が下降して移動連結片４４が下降し、ガイドレール１０への延長パネル３０の押圧が解除される。さらに、調整リング４６，４６を回転して、延長パネル３０が最下降位置に達したとき、パネル材２０の下端の粘着材２７による固定を外し、パネル材２０を持ち上げて手前に引くと、１枚のパネル材２０を容易に外すことができる。
【００３３】
１枚のパネル材２０を外すと、それに隣接するパネル材の端面に嵌合されたジョイント材２８を外し、隣接するパネル材２０のキャップ２６，２６…を外して内部の調整リング４６，４６を回転して調整ねじ軸４２，４２を逆回転し、延長パネル３０を下降させる。そして、延長パネル３０が下げられたパネル材２０を上方に持ち上げて下端の粘着材による固定を外して傾斜させ、パネル材２０を外すことができる。全てのパネル材を外して、最後に、天井材２に固定されたガイドレール１０をビスを外して撤去する。このようにして、順次複数枚のパネル材２０を外したあと、ガイドレール１０を外して間仕切り装置５を容易に撤去することができる。パネル材２０の下端の固定は、耐震ジェル等の粘着材２７を外すと床材３等に傷が残らないため、復元が容易である。ガイドレール１０を取り外した天井材２のビス穴は、コーキング材等で穴埋めして補修する。
【００３４】
本発明の間仕切装置は、図１２に示すように、空間を仕切る複数のパネル材２０，２０を柱状のコーナージョイント材５１で連結することができる。コーナージョイント材５１は、木材、集成材、ＭＤＦ等から形成され、パネル材２０，２０を連結する面には、鉛直方向に凹溝が形成されている。このコーナージョイント材５１は隣接して直交する２面に凹溝が形成されている。この凹溝に連結用のジョイント材５２の片側の突条５２ａを嵌合し、パネル材２０の凹溝にも反対側の突条５２ｂを嵌合して、反対側から形成したねじ孔を通してビス５３で連結する。直交する他の１面にも、同様にジョイント材５２を挟んでビス５３でパネル材２０を連結する。
【００３５】
また、図１３に示すように、空間を仕切る複数のパネル材を柱状のコーナージョイント材５５で連結することができる。コーナージョイント材５５も、木材、集成材、ＭＤＦ等から形成され、パネル材２０を連結する３面には、鉛直方向に凹溝が形成されている。３面に形成された凹溝に連結用のジョイント材５２の片側の突条５２ａを嵌合し、パネル材２０の凹溝にも反対側の突条５２ｂを嵌合して、３方向にパネル材を連結する。直角方向に連結されるパネル材は、コーナージョイント材５５の反対側から形成したねじ孔を通してビス５３で連結される。
【００３６】
つぎに、本発明の間仕切り装置の移動機構の他の実施形態を図１４，１５に基づき詳細に説明する。図１４は本発明に係る間仕切装置で使用される移動機構の他の実施形態の上昇位置と下降位置を示す一部を破断した要部正面図、図１５はその側面図である。図１５の左の図は下降位置、右の図は上昇位置を示している。なお、この実施形態は前記した実施形態に対し、パネル材２０の上部から進出可能の延長パネル３０の移動機構がジャッキ機構６０であることを特徴とする。そして、他の実質的に同等の構成については同じ符号を付して詳細な説明は省略する。ジャッキ機構６０は２つが並設され、１つの操作軸で連動するように構成されている。
【００３７】
ジャッキ機構６０は、自動車の車輪を着脱するときに車体を上昇させるときに使用するものと同様のパンタグラフ式のものであり、ベース部材６１には下方アーム６２，６２が揺動可能に支持され、下方アームの下端の揺動部に形成された歯部６２ａが相互に噛合い連動するように構成されている。一方、上部に位置する昇降部材６３には上方アーム６４，６４が揺動可能に支持され、上方アームの上端の揺動部に形成された歯部６４ａが相互に噛合い連動するように構成されている。そして、下方アーム６２，６２の上端と上方アーム６４，６４の下端とが連動軸６５，６５で連結され、連動軸を貫通する操作軸６６には右ねじと左ねじが形成され、右方の連動軸６５に右ねじが螺合し、左方の連動軸６５には左ねじが螺合している。操作軸６６の両端には、この軸を回転させる六角スパナが嵌合する穴を有する駆動部材６７が固定されている。
【００３８】
したがって、操作軸６６を一方に回転させると左右の駆動軸６５，６５は相互に接近し、下方アーム６２，６２及び上方アーム６４，６４は傾斜角度が増して昇降部材６３は上昇するように構成されている。また、操作軸６６を他方に回転させると左右の駆動軸６５，６５は相互に離反し、下方アーム６２，６２及び上方アーム６４，６４は傾斜角度が減って昇降部材６３は下降するように構成されている。２つのジャッキ機構６０は１本の長い操作軸６６で連動されるように構成され、操作軸６６の端部はパネル材２０の左右の端部まで延長され、パネル材２０の端面から回転操作できるように構成されている。
【００３９】
この実施形態では、操作軸６６を回転させることでジャッキ機構６０によりパネル材２０から上部の延長パネル３０を進出させ、ガイドレール１０の内部に延長パネル３０を弾接させてパネル材２０を固定することができる。しかも、パネル材２０の左右の端面の一方から操作軸６６を回転させて、２つのジャッキ機構６０，６０を同時に、平行に昇降させることができるため、パネル材２０の位置決め、固定操作が極めて容易となる。
【００４０】
この実施形態においては、延長パネル３０を上方に進出させる移動連結片４４は、２個所に凹部が形成され、この凹部内にコイルばね４５，４５が挿入され、延長パネル３０をガイドレール１０に弾接させる押圧力を付与している。なお、コイルばねの個数は２個に限られるものでなく、さらに多数としてもよい。
【００４１】
以上、本発明の実施形態について詳述したが、本発明は、前記の実施形態に限定されるものではなく、特許請求の範囲に記載された本発明の精神を逸脱しない範囲で、種々の設計変更を行なうことができるものである。例えば、パネル材として、複数のパネル材をジョイント材で連結する例を示したが、１枚のパネル材を用いて空間を仕切るように構成してもよい。
【００４２】
また、延長パネルを上方へ移動させる機構として、ねじ送り機構とジャッキ機構の例を示したが、延長パネルを移動させる機構として、他の昇降機構を用いてもよいのは勿論である。さらに、パネル材は、ドア等の開口を備えるものや、明り取りの開口を備えるもの、開閉できる窓を備えるもの等、適宜のものを使用できる。
【産業上の利用可能性】
【００４３】
本発明の活用例として、天井材や梁等の上部部材として、上方に位置する他の構造材を用いてガイド部材を固定することができ、床材等の下部部材として、土間や敷居等にパネル材の下端部を固定させるように構成してもよい。また、パネル材の代わりに格子等のパネルを上下の端部で支持する用途にも適用できる。
【図面の簡単な説明】
【００４４】
【図１】本発明に係る間仕切装置の一実施形態の一部を破断した正面図。
【図２】図１の一部を破断した要部正面図。
【図３】図２のＡ−Ａ線断面図。
【図４】図１のＢ−Ｂ線断面図。
【図５】図１のＣ−Ｃ線断面図。
【図６】図２の固定前の状態を示す正面図。
【図７】図６のＤ−Ｄ線断面図。
【図８】本発明に係る間仕切り装置の設置動作を示す斜視図。
【図９】図８に続く設置動作を示す斜視図。
【図１０】図９に続く設置動作を示す斜視図。
【図１１】図１０に続く設置動作を示す斜視図。
【図１２】パネル材をコーナージョイント材を用いて連結する他の実施形態の要部断面図。
【図１３】パネル材をコーナージョイント材を用いて連結するさらに他の実施形態の要部断面図。
【図１４】移動機構の他の実施形態の上昇位置と下降位置を示す一部を破断した要部正面図。
【図１５】図１４の上昇位置と下降位置を示す側面図。
【符号の説明】
【００４５】
１：建物（構造物）、２：天井材（上部部材）、３：床材（下部部材）、４：壁面、５：間仕切装置、１０：ガイドレール（ガイド部材）、１１：水平面部、１２：垂直面部、２０：パネル材、２１：合板（垂直面材）、２２：横桟（固定部材）、２３：縦桟（固定部材）、２４：空間、２７：粘着材、３０：延長パネル、４０：ねじ送り機構（移動機構）、５１，５２：コーナージョイント材、６０：ジャッキ機構（移動機構）
【図１】
2010013826.tif 000003
【図２】
2010013826.tif 000004
【図３】
2010013826.tif 000005
【図４】
2010013826.tif 000006
【図５】
2010013826.tif 000007
【図６】
2010013826.tif 000008
【図７】
2010013826.tif 000009
【図８】
2010013826.tif 000010
【図９】
2010013826.tif 000011
【図１０】
2010013826.tif 000012
【図１１】
2010013826.tif 000013
【図１２】
2010013826.tif 000014
【図１３】
2010013826.tif 000015
【図１４】
2010013826.tif 000016
【図１５】
2010013826.tif 000017